(57)【特許請求の範囲】
【請求項１】
温水式暖房機と連通した暖房循環回路と、該暖房循環回路に湯水を循環させる暖房湯水循環手段と、該暖房湯水循環手段により該暖房循環回路に湯水を循環させて温水式暖房機に湯水を供給する暖房運転を実行する暖房制御手段と、
浴槽と連通した風呂循環回路と、該風呂循環回路に湯水を循環させる風呂ポンプと、前記温水式暖房機をバイパスして前記暖房循環回路を連通させる追焚き通路と、該追焚き通路を開閉する追焚き弁と、該風呂循環回路及び該追焚き通路に接続されて該追焚き通路を流通する湯水からの放熱により、該風呂循環回路を流通する湯水を加熱する液々熱交換器と、前記追焚き弁を開弁して前記暖房湯水循環手段により前記暖房循環回路から前記追焚き通路に湯水を供給することにより、前記風呂ポンプにより循環させた前記風呂循環回路中の湯水を加熱して浴槽中の湯水を追焚きする追焚き運転を実行する追焚き制御手段と、
湯が出湯される出湯路から分岐して前記風呂循環回路に接続された湯張り注湯路と、該湯張り注湯路に設けられて該湯張り注湯路を開閉する湯張り弁と、該湯張り弁を開弁して前記出湯路からの湯を該湯張り注湯路及び前記風呂循環回路を介して前記浴槽に供給する湯張り運転を実行する湯張り制御手段とを備えた熱源機において、
前記風呂循環回路から前記液々熱交換器に流入する湯の温度を検出する戻り温度検出手段と、
前記液々熱交換器から前記風呂循環回路に出湯される湯の温度を検出する往き温度検出手段と、
前記風呂循環回路内を湯水が循環していることを検出する風呂流水検出手段と、
前記湯張り弁が閉弁状態であって、前記追焚き制御手段により前記風呂ポンプを停止状態とする制御が行われ、且つ、前記暖房制御手段により前記暖房運転が実行されている状態で、前記風呂流水検出手段により前記風呂循環回路内を湯水が循環していることが検出されると共に、前記往き温度検出手段の検出温度が前記戻り温度検出手段の検出温度よりも所定温度以上高くなったときに、異常報知と前記暖房運転の禁止とのうちの少なくともいずれか一方を行なう異常対処手段とを備えたことを特徴とする熱源機。
【請求項２】
請求項１記載の熱源機において、
前記異常対処手段は、前記湯張り弁が閉弁状態であって、前記追焚き制御手段により前記風呂ポンプを停止状態とする制御が行われ、且つ、前記暖房制御手段により前記暖房運転が実行されている状態で、前記風呂流水検出手段により前記風呂循環回路内を湯水が循環していることが検出されると共に、前記往き温度検出手段の検出温度が前記戻り温度検出手段の検出温度よりも所定温度以上高い状態が、所定時間以上継続したときに、異常報知と前記暖房運転の禁止とのうちの少なくともいずれか一方を行なうことを特徴とする熱源機。
【請求項３】
温水式暖房機と連通した暖房循環回路と、該暖房循環回路に湯水を循環させる暖房湯水循環手段と、該暖房湯水循環手段により該暖房循環回路に湯水を循環させて温水式暖房機に湯水を供給する暖房運転を実行する暖房制御手段と、
浴槽と連通した風呂循環回路と、該風呂循環回路に湯水を循環させる風呂ポンプと、前記温水式暖房機をバイパスして前記暖房循環回路を連通させる追焚き通路と、該追焚き通路を開閉する追焚き弁と、該風呂循環回路及び該追焚き通路に接続されて該追焚き通路を流通する湯水からの放熱により、該風呂循環回路を流通する湯水を加熱する液々熱交換器と、前記追焚き弁を開弁して前記暖房湯水循環手段により前記暖房循環回路から前記追焚き通路に湯水を供給することにより、前記風呂ポンプにより循環させた前記風呂循環回路中の湯水を加熱して浴槽中の湯水を追焚きする追焚き運転を実行する追焚き制御手段と、
湯が出湯される出湯路から分岐して前記風呂循環回路に接続された湯張り注湯路と、該湯張り注湯路に設けられて該湯張り注湯路を開閉する湯張り弁と、該湯張り弁を開弁して前記出湯路からの湯を該湯張り注湯路及び前記風呂循環回路を介して前記浴槽に供給する湯張り運転を実行する湯張り制御手段とを備えた熱源機において、
前記風呂循環回路から前記液々熱交換器に流入する湯の温度を検出する戻り温度検出手段と、
前記風呂循環回路内を湯水が循環していることを検出する風呂流水検出手段と、
前記湯張り弁が閉弁状態であって、前記追焚き制御手段により前記風呂ポンプを停止状態とする制御が行われ、且つ、前記制御手段により前記暖房運転が実行されている状態で、前記風呂流水検出手段により前記風呂循環回路内を湯水が循環していることが検出されると共に、前記戻り温度検出手段の検出温度が所定温度以上上昇したときに、異常報知と前記暖房運転の禁止とのうちの少なくともいずれか一方を行なう異常対処手段とを備えたことを特徴とする熱源機。
【請求項４】
請求項３記載の熱源機において、
前記異常対処手段は、前記湯張り弁が閉弁状態であって、前記追焚き制御手段により前記風呂ポンプを停止状態とする制御が行われ、且つ、前記制御手段により前記暖房運転が実行されている状態で、前記風呂流水検出手段により前記風呂循環回路内を湯水が循環していることが検出されると共に、前記戻り温度検出手段の検出温度が継続的に上昇して、その上昇幅が前記所定温度以上となったときに、異常報知と前記暖房運転の禁止とのうちの少なくともいずれか一方を行なうことを特徴とする熱源機。
【発明の詳細な説明】
【技術分野】
【０００１】
本発明は、浴槽内の湯の追焚き機能と温水式暖房機能を備えた熱源機に関する。
【背景技術】
【０００２】
従来より、暖房熱交換器で加熱された湯水を暖房循環回路を介して、温風暖房機や床暖房装置等の温水式暖房機に供給する暖房運転を行なうと共に、風呂循環回路及び暖房循環回路と接続されて、暖房循環回路中を流通する湯水の放熱により風呂循環回路中を流通する湯水を加熱する液々熱交換器を備えて、浴槽内の湯水を加熱する追焚き運転を行なう熱源機が知られている。
【０００３】
そして、暖房運転を実行するときに、温水式暖房機と共に液々熱交換器にも温水を供給すると、液々熱交換器で無駄な放熱がなされるために、温水式暖房機に供給される熱量が減少して暖房能力が低下する。
【０００４】
そこで、温風暖房機をバイパスして暖房循環回路を連通させる追焚き通路を設けて、液々熱交換器を風呂循環回路及び追焚き通路に接続すると共に、追焚き通路を開閉する追焚き弁を備え、暖房運転中は、該追焚き弁を閉弁して暖房循環回路から液々熱交換器への湯水の供給を遮断するようにして、暖房能力を確保するようにした熱源機が提案されている（例えば、特許文献１参照）。
【特許文献１】特開平７−７７３３６号公報
【発明の開示】
【発明が解決しようとする課題】
【０００５】
上述したように、追焚き通路に液々熱交換器を接続し、暖房運転中は追焚き弁の閉弁操作を行なって液々熱交換器への湯水供給を遮断した場合、暖房循環回路から液々熱交換器に温水が供給されないので、液々熱交換器において風呂循環回路内の湯水が加熱されることはないはずである。
【０００６】
しかし、本願発明者らは、このように追焚き弁の閉弁操作を行なって、暖房運転を実行した場合であっても、浴槽内の湯水の温度が上昇する場合があることを知見した。そこで、本発明は、暖房運転の実行時に、使用者の意に反して浴槽内の湯水の温度が上昇することを抑制した熱源機を提供することを目的とする。
【課題を解決するための手段】
【０００７】
本発明は上記目的を達成するためになされたものであり、温水式暖房機と連通した暖房循環回路と、該暖房循環回路に湯水を循環させる暖房湯水循環手段と、該暖房湯水循環手段により該暖房循環回路に湯水を循環させて温水式暖房機に湯水を供給する暖房運転を実行する暖房制御手段と、浴槽と連通した風呂循環回路と、該風呂循環回路に湯水を循環させる風呂ポンプと、前記温水式暖房機をバイパスして前記暖房循環回路を連通させる追焚き通路と、該追焚き通路を開閉する追焚き弁と、該風呂循環回路及び該追焚き通路に接続されて該追焚き通路を流通する湯水からの放熱により、該風呂循環回路を流通する湯水を加熱する液々熱交換器と、前記追焚き弁を開弁して前記暖房湯水循環手段により前記暖房循環回路から前記追焚き通路に湯水を供給することにより、前記風呂ポンプにより循環させた前記風呂循環回路中の湯水を加熱して浴槽中の湯水を追焚きする追焚き運転を実行する追焚き制御手段と、湯が出湯される出湯路から分岐して前記風呂循環回路に接続された湯張り注湯路と、該湯張り注湯路に設けられて該湯張り注湯路を開閉する湯張り弁と、該湯張り弁を開弁して前記出湯路からの湯を該湯張り注湯路及び前記風呂循環回路を介して前記浴槽に供給する湯張り運転を実行する湯張り制御手段とを備えた熱源機に関する。
【０００８】
そして、本発明の第１の態様は、前記風呂循環回路から前記液々熱交換器に流入する湯の温度を検出する戻り温度検出手段と、前記液々熱交換器から前記風呂循環回路に出湯される湯の温度を検出する往き温度検出手段と、前記風呂循環回路内を湯水が循環していることを検出する風呂流水検出手段と、前記湯張り弁が閉弁状態であって、前記追焚き制御手段により前記風呂ポンプを停止状態とする制御が行われ、且つ、前記暖房制御手段により前記暖房運転が実行されている状態で、前記風呂流水検出手段により前記風呂循環回路内を湯水が循環していることが検出されると共に、前記往き温度検出手段の検出温度が前記戻り温度検出手段の検出温度よりも所定温度以上高くなったときに、異常報知と前記暖房運転の禁止とのうちの少なくともいずれか一方を行なう異常対処手段とを備えたことを特徴とする。
【０００９】
かかる本発明において、前記追焚き弁が開弁状態（前記追焚き弁が開弁状態に制御されているか、前記追焚き弁が故障して閉弁が不能となっている状態）であるときに、前記風呂ポンプのＯＮ故障（風呂ポンプが作動を継続して、停止が不能となった故障）が生じると、前記追焚制御手段により前記風呂ポンプを停止状態とする制御を行っても、前記追焚き弁が開弁して前記風呂ポンプが作動した状態が維持される。
【００１０】
このように、前記追焚き弁が開弁して前記風呂ポンプが作動した状態で前記暖房運転を実行すると、前記液々熱交換器により前記風呂循環回路内を循環する浴槽内の湯水が加熱されて、浴槽内の湯水の温度が上昇してしまう。そして、この場合には、前記風呂循環回路内を循環する湯水は前記液々熱交換器内を流通する際に加熱されるため、前記往き温度検出手段の検出温度が前記戻り温度検出手段の検出温度よりも高くなる。
【００１１】
そこで、前記異常対処手段は、前記湯張り弁が閉弁状態であって、前記風呂ポンプを停止状態とする制御が行われ、且つ、前記制御手段により前記暖房運転が実行されている状態で、前記風呂流水検出手段により前記風呂循環回路内を湯水が循環していることが検出されると共に、前記往き温度検出手段の検出温度が前記戻り温度検出手段の検出温度よりも所定温度以上高くなったときに、異常報知と前記暖房運転の禁止とのうちの少なくともいずれか一方を行なう。このように、前記風呂ポンプがＯＮ故障した状態で前記暖房運転が実行されたときには、異常報知を行なって使用者に暖房運転の停止操作を行うことを促し、或いは、前記暖房運転を禁止することによって、使用者の意に反して浴槽内の湯水の温度が上昇することを抑制することができる。
ここで、前記湯張り弁が閉弁状態であることを前記風呂ポンプの故障検知の条件とするのは、前記湯張り運転が行なわれているときは、前記風呂ポンプが作動していなくても前記風呂流水検出手段により流水が検出されるため、前記湯張り運転中を除くためである。また、前記風呂流水検出手段による前記風呂循環回路内を湯水が循環していることの検出に加えて、前記往き温度検出手段の検出温度が前記戻り温度検出手段による検出温度よりも所定温度高くなったことを判断するのは、風呂流水検出手段による誤検知が生じた場合に対応するためである。
【００１２】
また、前記異常対処手段は、前記湯張り弁が閉弁状態であって、前記追焚制御手段により前記風呂ポンプを停止状態とする制御が行われ、且つ、前記暖房制御手段により前記暖房運転が実行されている状態で、前記風呂流水検出手段により前記風呂循環回路内を湯水が循環していることが検出されると共に、前記往き温度検出手段の検出温度が前記戻り温度検出手段の検出温度よりも所定温度以上高い状態が、所定時間以上継続したときに、異常報知と前記暖房運転の禁止とのうちの少なくともいずれか一方を行なうことを特徴とする。
【００１３】
かかる本発明によれば、前記異常対処手段は、前記風呂流水検出手段により前記風呂循環回路内を湯水が循環していることが検出されると共に、前記往き温度検出手段の検出温度が前記戻り温度検出手段の検出温度よりも所定温度以上高い状態が、所定時間以上継続したときに異常報知と暖房運転の禁止とのうちの少なくともいずれか一方を行う。このように、所定時間以上の継続を条件とすることによって、追焚き運転停止直後や、ノイズ等による前記戻り温度検出手段や前記往き温度検出手段の誤検出により、前記異常対処手段による異常報知及び暖房運転の禁止がなされることを防止することができる。
【００１４】
次に、本発明の第２の態様は、前記風呂循環回路から前記液々熱交換器に流入する湯の温度を検出する戻り温度検出手段と、前記風呂循環回路内を湯水が循環していることを検出する風呂流水検出手段と、前記湯張り弁が閉弁状態であって、前記追焚き制御手段により前記風呂ポンプを停止状態とする制御が行われ、且つ、前記制御手段により前記暖房運転が実行されている状態で、前記風呂流水検出手段により前記風呂循環回路内を湯水が循環していることが検出されると共に、前記戻り温度検出手段の検出温度が所定温度以上上昇したときに、異常報知と前記暖房運転の禁止とのうちの少なくともいずれか一方を行なう異常対処手段とを備えたことを特徴とする。
【００１５】
かかる本発明によれば、上述した第１の態様と同様に、前記追焚き弁が開弁状態であって前記風呂ポンプのＯＮ故障が生じたときに、前記暖房運転を実行すると、前記液々熱交
換器により前記風呂循環回路内を循環する浴槽内の湯水が加熱されて、浴槽内の湯水の温度が上昇してしまう。そして、この場合には、浴槽内の湯水の温度の上昇に応じて、前記戻り温度検出手段の検出温度（浴槽から前記風呂循環回路を介して前記液々熱交換器に流入する湯水の温度）が上昇する。
【００１６】
そこで、前記異常対処手段は、前記風呂ポンプを停止状態とする制御が行われ、且つ、前記制御手段により前記暖房運転が実行されている状態で、前記戻り温度検出手段の検出温度が所定温度以上上昇したときに、異常報知と前記暖房運転の禁止とのうちの少なくともいずれか一方を行なう。このように、前記風呂ポンプがＯＮ故障した状態で前記暖房運転が実行されたときには、異常報知を行なって使用者に暖房運転の停止操作を行うことを促し、或いは、前記暖房運転を禁止することによって、使用者の意に反して浴槽内の湯水の温度が上昇することを抑制することができる。
ここで、前記湯張り弁が閉弁状態であることを前記風呂ポンプの故障検知の条件とするのは、前記湯張り運転が行なわれているときは、前記風呂ポンプが作動していなくても前記風呂流水検出手段により流水が検出されるため、前記湯張り運転中を除くためである。また、前記風呂流水検出手段による前記風呂循環回路内を湯水が循環していることの検出に加えて、前記戻り温度検出手段の検出温度が所定温度以上上昇したことを判断するのは、風呂流水検出手段による誤検知が生じた場合に対応するためである。
【００１７】
また、前記異常対処手段は、前記湯張り弁が閉弁状態であって、前記追焚き制御手段により前記風呂ポンプを停止状態とする制御が行われ、且つ、前記制御手段により前記暖房運転が実行されている状態で、前記風呂流水検出手段により前記風呂循環回路内を湯水が循環していることが検出されると共に、前記戻り温度検出手段の検出温度が継続的に上昇して、その上昇幅が前記所定温度以上となったときに、異常報知と前記暖房運転の禁止とのうちの少なくともいずれか一方を行なうことを特徴とする。
【００１８】
かかる本発明によれば、前記異常対処手段は、前記風呂流水検出手段により前記風呂循環回路内を湯水が循環していることが検出されると共に、前記戻り温度検出手段の検出温度が継続的に上昇して、その上昇幅が前記所定温度以上となったときに、異常報知と前記暖房運転の禁止とのうちの少なくともいずれか一方を行なう。このように、検出温度の継続的な上昇を条件とすることによって、ノイズ等による前記戻り温度検出手段の誤検出により、前記異常対処手段による異常報知及び暖房運転の禁止がなされることを防止することができる。
【発明を実施するための最良の形態】
【００１９】
本発明を実施するための最良の形態について、図１〜図３を参照して説明する。図１は本発明の熱源機の全体構成図、図２は図１に示したコントローラの詳細図、図３は図２に示した異常対処手段による異常対処処理のフローチャートである。
【００２０】
図１を参照して、本実施の形態の熱源機は、単一の缶体１内に、給湯用の第１燃焼部２−１と暖房及び追焚き用の第２燃焼部２−２とが仕切り壁１ａを隔てて並設された１缶式の複合型の熱源機であり、マイクロコンピュータ等により構成されたコントローラ７によって全体の作動が制御される。なお、第２燃焼部２−２と後述する暖房ポンプ９２とにより本発明の暖房湯水循環手段が構成される。
【００２１】
第１燃焼部２−１は、給湯用の第１熱交換器３−１とこれを加熱する第１バーナ４−１とを有し、第２燃焼部２−２は、暖房及び追焚き用の第２熱交換器３−２とこれを加熱する第２バーナ４−２とを有する。第１燃焼部２−１と第２燃焼部２−２には共通の燃焼ファン５から燃焼用空気が供給される。
【００２２】
第１バーナ４−１の燃焼排気は第１熱交換器３−１に導かれ、第１熱交換器３−１で熱交換した後に、第１熱交換器３−１及び第２熱交換器３−２の上側の排気フード６に流れて、排気フード６に形成された排気口６ａから外部に排出される。同様に、第２バーナ４−２の燃焼排気は第２熱交換器３−２に導かれ、第２熱交換器３−２で熱交換器した後に、排気フード６に流れて排気口６ａから外部に排出される。なお、第１バーナ４−１及び第２バーナ４−２の燃焼量に対応した量の燃焼用空気が供給されるように、コントローラ７により燃焼ファン５の回転数が制御される。
【００２３】
第１熱交換器３−１には、上流側の給水路８ａと下流側の出湯路８ｂとが接続されている。給水路８ａには、流量センサ８１とコントローラ７により制御される流量調節弁８２とが設けられ、さらに、流量調節弁８２の下流側で給水路８ａと出湯路８ｂとを連通するバイパス通路８ｃが設けられ、バイパス通路８ｃにコントローラ７により制御されるバイパス流量調節弁８３が介設されている。また、出湯路８ｂには、上流側の湯温センサ８４と、バイパス通路８ｃとの合流箇所の下流側の湯温センサ８５とが設けられている。
【００２４】
流量センサ８１と湯温センサ８４，８５の検出信号はコントローラ７に入力される。そして、コントローラ７は、出湯路８ｂの下流端のカラン８６が開栓されて第１熱交換器３−１への通水が開始され、流量センサ８１の検出流量が所定の下限流量以上となったときに、燃焼ファン５を駆動すると共に、第１バーナ４−１に点火して「給湯運転」を実行する。「給湯運転」に際して、コントローラ７は、湯温センサ８４により検出される給湯側出湯温度が所定の高温設定温度になるように、第１バーナ４−１の燃焼量を制御すると共に、第１バーナ４−１の燃焼量が最大となっても湯温センサ８４の検出温度が高温設定温度に達しないときは流量調節弁８２により第１熱交換器３−１への通水量を減少させる。
【００２５】
そして、コントローラ７は、湯温センサ８５の検出温度がリモコン７ａで設定された給湯温度になるように、バイパス流量調節弁８３によりバイパス通路８ｃの流水量（バイパスミキシング量）を制御する。
【００２６】
第２熱交換器３−２は、暖房循環回路９を介して要求湯温が比較的高い高温暖房端末である湯水式の温風暖房機１０（本発明の温水式暖房機に相当する）に接続されている。なお、図１では、１台の温風暖房機が示されているが、暖房循環回路９に複数の温風暖房機１０が並列接続することも可能である。暖房循環回路９は、第２熱交換器３−２で加熱された湯水を温風暖房機１０に送出する暖房往き通路９ａと、温風暖房機１０内を流通した湯水を第２熱交換器３−２に戻す暖房戻り通路９ｂとにより構成されている。
【００２７】
暖房戻り通路９ｂには、シスターン９１と、コントローラ７により制御される暖房ポンプ９２とが介設されている。そして、温風暖房機１０の運転スイッチ（図示しない）がＯＮ操作されたときに、コントローラ７は、温風暖房機１０の通水弁１０ａを開弁すると共に、暖房ポンプ９２を駆動して、温風暖房機１０と第２熱交換器３−２との間で暖房循環回路９を介して湯水を循環させる「暖房運転」を実行する。
【００２８】
また、本実施の形態では、要求湯温が比較的低い低温暖房端末である床暖房パネル１１（本発明の温水式暖房機に相当する）が備えられており、暖房ポンプ９２の下流側の暖房戻り通路９ｂの部分から床暖房パネル１１に至る低温暖房往き通路９ｃが分岐している。床暖房パネル１１内を流通した湯水は温風暖房機１０内を流通した湯水と合流してシスターン９１に戻る。
【００２９】
さらに、暖房循環回路９にはバイパス通路９ｄが設けられている。床暖房パネル１１の運転スイッチ（図示しない）がＯＮ操作されると、コントローラ７は、床暖房パネル１１の通水弁１１ａを開弁すると共に、暖房ポンプ９２を駆動して「暖房運転」を実行する。これにより、バイパス通路９ｄを経由して第２熱交換器３−２に湯水が循環されると共に、暖房ポンプ９２から送出される湯水の一部が床暖房パネル１１に供給され、第２熱交換器３−２からの熱がシスターン９１を介して床暖房パネル１１に伝達される。
【００３０】
暖房往き通路９ａの上流部には、第２熱交換器３−２から送出される湯水の温度を検出する湯温センサ９３が設けられており、湯温センサ９３の検出信号がコントローラ７に入力される。そして、コントローラ７は、温風暖房機１０や床暖房パネル１１の運転スイッチ（図示しない）がＯＮ操作されて「暖房運転」を行なう際に、湯温センサ９３で検出さ
れる暖房側出湯温度が温風暖房機１０や床暖房パネル１１の要求湯温となるように、第２バーナ４−２の燃焼量を制御する。なお、温風暖房機１０の要求湯温は比較的高温（例えば８０℃）であり、床暖房パネル１１の要求湯温は比較的低温（例えば６０℃）である。
【００３１】
また、第２熱交換器３−２は、風呂の追焚きを行なう際の熱源としても機能する。浴槽１２に接続された風呂循環回路１３には、コントローラ７により制御される風呂ポンプ１３１と液々熱交換器１３２とが介設されている。また、暖房循環回路９には、暖房往き通路９ａから液々熱交換器１３２を経由してシスターン９１に至る追焚き通路９ｅが設けられ、追焚き通路９ｅにコントローラ７により制御される追焚き弁１３３が介設されている。なお、本実施の形態では、追焚き弁１３３は熱動弁であるが、ギヤドモータやステッピングモータ等を備えた電動モータ式の開閉弁を用いてもよい。
【００３２】
そして、リモコン７ａに備えられた追焚きスイッチ（図示しない）がＯＮ操作されると、コントローラ７は、風呂ポンプ１３１を駆動して風呂循環回路１３に浴槽１２の湯水を循環させると共に、追焚き弁１３３を開弁して暖房ポンプ９２を駆動し、第２バーナ４−２に点火して「追焚き運転」を実行する。「追焚き運転」においては、第２熱交換器３−２で加熱された湯水が液々熱交換器１３２を経由して暖房循環回路９を循環し、風呂循環回路１３を循環する浴槽１２の湯水が液々熱交換器１３２で加熱される。
【００３３】
風呂循環回路１３と液々熱交換器１３２との接続箇所の付近には、戻り側に戻り温度センサ１４１（本発明の戻り温度検出手段に相当する）が設けられ、往き側に往き温度センサ１４０（本発明の往き温度検出手段に相当する）が設けられている。また、風呂循環回路１３には、風呂循環回路１３内を湯水が循環していることを検出する風呂流水センサ１４２（本発明の風呂流水検出手段に相当する）が設けられている。そして、戻り温度センサ１４１と往き温度センサ１４０と風呂流水センサ１４２の検出信号がコントローラ７に入力される。コントローラ７は、戻り温度センサ１４１の検出温度がリモコン７ａで設定された追焚き温度まで上昇したときに「追焚き運転」を終了する。
【００３４】
また、風呂循環回路１３には、出湯路８ｂから分岐した湯張り注湯路１３５が逆止弁１３６を介して接続されている。湯張り注湯路１３５には、コントローラ７により制御される湯張り弁１３７が介設されており、リモコン７ａに備えられた湯張りスイッチ（図示しない）がＯＮ操作されたときに、コントローラ７は、湯張り弁１３７を開弁し、第１熱交換器３−１で加熱された湯水を湯張り注湯路１３５を経由して浴槽１２に供給する「湯張り運転」を実行する。
【００３５】
次に、第１バーナ４−１及び第２バーナ４−２に対する燃料ガスの供給について説明する。第１バーナ４−１と第２バーナ４−２に対する共通のガス供給路４０には、元弁４１と比例弁４２とが介設されている。そして、ガス供給路４０から第１バーナ４−１の能力切換弁４３Ｓ，４３Ｍ，４３Ｌを介して第１バーナ４−１に燃料ガスが供給され、また、ガス供給路４０から第２バーナ４−２の能力切換弁４４Ｓ，４４Ｌを介して第２バーナ４−２に燃料ガスが供給される。
【００３６】
ここで、第１バーナ４−１は、１６個の単位バーナ４ａで構成され、能力切換弁４３Ｓに接続された第１単位バーナ群４−１Ｓは３個の単位バーナ４ａを備え、能力切換弁４３Ｍに接続された第２単位バーナ群４−１Ｍは５個の単位バーナ４ａを備え、能力切換弁４３Ｌに接続された第３単位バーナ群４−１Ｌは８個の単位バーナ４ａを備えている。そして、コントローラ７は、能力切換弁４３Ｓ，４３Ｍ，４３Ｌの開閉を切換えて第１バーナ４−１の燃焼量を制御する。
【００３７】
また、第２バーナ４−２は、５個の単位バーナ４ａで構成され、能力切換弁４４Ｓに接
続された第１単位バーナ群４−２Ｓは２個の単位バーナ４ａを備え、能力切換弁４４Ｌに接続された第２単位バーナ群４−２Ｌは３個の単位バーナ４ａを備えている。そして、コントローラ７は、能力切換弁４４Ｓ，４４Ｌの開閉を切換えて第２のバーナの燃焼量を制御する。
【００３８】
次に、図２を参照して、コントローラ７には、上述した「暖房運転」を実行する暖房制御手段２０と、上述した「追焚き運転」を実行する追焚き制御手段２１と、上述した「湯張り運転」を実行する湯張り制御手段２２と、風呂ポンプ１３１及び追焚き弁１３３の異常が生じたときに報知等を行なう異常対処手段２５とが備えられている。また、リモコン７ａには、複合熱源機の作動状態等を表示するための表示部３１と、ブザー３２とが備えられている。
【００３９】
ここで、「湯張り運転」を実行すると、図１を参照して、出湯路８ｂから湯張り注湯路１３５に供給される湯は、湯張り注湯路１３５と風呂循環回路１３との接続箇所Ｘから、風呂往き通路１３ａと風呂戻り通路１３ｂの双方を経由して浴槽１２に供給される（両搬送湯張り）。そして、「湯張り運転」の実行中に液々熱交換器１３２で熱交換を行なって、風呂往き通路１３ａを流通する湯を加熱してしまうと、風呂往き通路１３ａから浴槽１２に、リモコン７ａで設定された湯張り温度よりも高い温度の湯が供給されてしまうという不都合が生じる。
【００４０】
そこで、湯張り制御手段２２は、「暖房運転」の実行中に「湯張り運転」を実行するときには、追焚き弁１３３の閉弁操作を行なって暖房循環回路９から液々熱交換器１３２への湯水の流入を遮断し、これにより、風呂往き通路１３ａを経由して浴槽１２に供給される湯が液々熱交換器１３２で加熱されないようにしている。
【００４１】
また、追焚き弁１３３が開弁制御され、或いは追焚き弁１３３を閉弁する制御が不能となった開弁故障が生じて、追焚き弁１３３が開弁状態にあるときに、風呂ポンプ１３１を停止する制御が不能となった風呂ポンプ１３１のＯＮ故障が生じると、「追焚き運転」を実行していない場合であっても浴槽１２内の湯水が風呂循環回路１３を循環する。
【００４２】
このように、追焚き弁１３３が開弁状態であって、風呂ポンプ１３１のＯＮ故障が生じているときに「暖房運転」を実行すると、「追焚き運転」を実行した場合と同様に、第２熱交換器３−２で加熱された湯水が液々熱交換器１３２を経由して暖房循環回路９を循環し、風呂循環回路１３を循環する浴槽１２の湯水が液々熱交換器１３２で加熱される。
【００４３】
そして、これにより、使用者の意に反して浴槽１２の湯水の温度が上昇し、熱さにより使用者に不快感を与えるおそれがある。そこで、異常対処手段２５は、図３に示したフローチャートに従って、風呂ポンプ１３１がＯＮ故障した状態で「暖房運転」が実行されたときに、浴槽１２の湯水の温度が上昇することを防止するための処理を行う。
【００４４】
図３のＳＴＥＰ１〜ＳＴＥＰ３、ＳＴＥＰ５、及びＳＴＥＰ２０は、暖房制御手段２０による処理であり、「暖房運転」の実行中は、ＳＴＥＰ１〜ＳＴＥＰ５のループが繰り返し実行される。
【００４５】
暖房制御手段２０は、ＳＴＥＰ１で「湯張り運転」の実行中であるか否かを判断する。そして、「湯張り運転」の実行中であったときはＳＴＥＰ２に進み、暖房制御手段２０は、ＳＴＥＰ２で追焚き弁１３３を閉弁させる制御を行う。このように、「湯張り運転」の実行中は、追焚き弁１３３を閉弁状態とすることによって、湯張り注湯路１３５から風呂循環回路１３を介して浴槽１２に供給される湯水が液々熱交換器１３２で加熱され、高温の湯が浴槽１２に供給されることを防止している。
【００４６】
一方、ＳＴＥＰ１で「湯張り運転」が実行中でなかったときには、ＳＴＥＰ１０に分岐して、暖房制御手段２０は追焚き弁１３３を開弁状態とする。このように、追焚き弁１３３を開弁状態としておくことで、「追焚き運転」を開始する際に、熱動弁であって開弁にある程度の時間を要する追焚き弁１３３を開弁するときに、閉弁から開弁に切り換わるまでの待ち時間が生じることを回避することができる。
【００４７】
次のＳＴＥＰ３で、暖房制御手段２０は、暖房ポンプ９２を作動（ＯＮ）させ、ＳＴＥＰ５で、湯温センサ９３で検出される暖房側出湯温度が温風暖房機１０や床暖房パネル１１の要求湯温となるように、第２バーナ４−２の燃焼量を制御する暖房燃焼制御を実行する。
【００４８】
ＳＴＥＰ４及びＳＴＥＰ２０〜ＳＴＥＰ２４は、異常対処手段２５による処理である。ＳＴＥＰ４で、異常対処手段２５は、以下の４つの条件が全て成立した状態が３分間（本発明の所定時間に相当する）継続しているか否かを判断する。
(1) 追焚き制御手段２１が、風呂ポンプ１３１に対して動作を停止させる制御信号（ＯＦＦ信号）を出力している。
(2) 風呂流水センサ１４２により、風呂循環回路１３を循環する湯水が検出されている。(3) 湯張り弁１３７が閉弁状態にある。
(4) 往き温度センサ１４０の検出温度Ｔoutが戻り温度センサ１４１の検出温度Ｔinより
も５℃（本発明の所定温度に相当する）以上高くなっている。
【００４９】
上記(1)で風呂ポンプ１３１を停止する制御を行っているにも拘わらず、(2)で風呂流水センサ１４２により、風呂循環回路１３を循環する湯水が検出されているときには、風呂ポンプ１３１がＯＮ故障状態となっていると判断することができる。また、(3)は湯張り
が行われているときは、風呂ポンプ１３１が作動していなくても風呂流水センサ１４２により流水が検出されるため、「湯張り運転」中を除くための条件である。
【００５０】
また、(4)は、風呂流水センサ１４２による誤検知が生じた場合に対応するためのもの
である。ここで、風呂流水センサ１４２は、水流の有無に応じてその接点がＯＮ（検出状態）／ＯＦＦ（非検出状態）するものであるが、風呂流水センサ１４２自体の磁化や異物によって、ＯＮ側（検出状態）に張り付くことが知られている。
【００５１】
そして、このように、風呂流水センサ１４２がＯＮ側に張り付くと、実際には風呂ポンプ１３１がＯＮ故障状態ではなく、風呂循環回路１３に湯水が循環していない場合に、風呂流水センサ１４２により流水が検出されて、風呂ポンプ１３１がＯＮ故障状態であると誤検知されてしまう。
【００５２】
そこで、(4)により、往き温度センサ１４０の検出温度Ｔoutが戻り温度センサ１４１の検出温度Ｔinよりも５℃を超えて高くなったことを条件とすることによって、実際に液々熱交換器１３２に湯水が流通していることを検出することができる。
【００５３】
そして、異常対処手段２５は、上記(1)〜(4)の条件が全て成立しているとき、即ち、風呂ポンプ１３１がＯＮ故障状態であって、追焚き弁１３３が開弁故障状態又は開弁制御されているときに、ＳＴＥＰ２０に分岐する。
【００５４】
ＳＴＥＰ２０で、異常対処手段２５は風呂ポンプ１３１をＯＦＦ操作し、ＳＴＥＰ２１で追焚き弁１３３をＯＦＦ操作する。また、続くＳＴＥＰ２２で暖房燃焼を停止させる。そして、異常対処手段２５は、ＳＴＥＰ２３で暖房ポンプを停止して「暖房運転」を中止する。また、続くＳＴＥＰ２４で、異常対処手段２５は、リモコン７ａ（図２参照）のブ
ザー３２を鳴動させると共に、表示部３１に風呂ポンプ１３１の異常が生じていることを表示する。これにより、使用者に対して、風呂ポンプ１３１の故障が生じていることを報知して、風呂ポンプ１３１の修理や交換を促すことができる。
【００５５】
このように、風呂ポンプ１３１が開弁故障状態となったときに、「暖房運転」を中止すると共に、使用者に異常報知を行なうことによって、「追焚き運転」を行なっていないにも拘わらず、浴槽１２の湯水の温度が上昇することを防止することができる。
【００５６】
なお、本実施の形態では、ＳＴＥＰ４において、上記(1)〜(4)の条件が全て成立しているときに、「暖房運転」の中止と異常報知とを行ったが、「暖房運転」の中止と異常報知とのうちのいずれか一方のみを行う場合にも、本発明の効果を得ることができる。
【００５７】
また、本実施の形態では、図３のＳＴＥＰ４で、上記(1)〜(4)を条件として、「暖房運転」の中止と異常報知とを行ったが、以下の(5)〜(8)の条件が全て成立したときに、「暖房運転」の中止と異常報知を行なうようにしてもよい。この場合には、往き温度センサ１４０は不要である。
(5) 風呂ポンプ１３１に対して、動作を停止させる制御信号（ＯＦＦ信号）を出力している。
(6) 風呂流水センサ１４２により、風呂循環回路１３を循環する湯水が検出されている。(7) 湯張り弁１３７が閉弁状態にある。
(8) 戻り温度センサ１４１の検出温度が継続的に３度（本発明の所定温度に相当する）以上上昇した。
【００５８】
また、本実施の形態では、「湯張り運転」を行なう機能を備えた複合型の熱源機を備えたが、「暖房運転」と「追焚き運転」のみを行なう熱源機に対しても本発明の適用が可能である。この場合は、上記(3)，(7)の「湯張り弁１３７が閉弁状態にある。」の条件は不要となる。
【００５９】
また、上記(2)，(6)の「風呂流水センサ１４２により、風呂循環回路１３を循環する湯水が検出されている。」の条件を省いて上記(4)，(8)の温度センサによる条件のみによって、風呂ポンプ１３１のＯＮ故障を検知するようにしてもよい。この場合には、風呂流水センサ１４２は不要となる。
【図面の簡単な説明】
【００６０】
【図１】本発明の熱源機の全体構成図。
【図２】図１に示したコントローラの詳細図。
【図３】図２に示した異常対処手段による異常対処処理のフローチャート。
【符号の説明】
【００６１】
２−１…第１燃焼部、２−２…第２燃焼部、３−１…第１熱交換器、３−２…第２熱交換器、４−１…第１バーナ、４−２…第２バーナ、７…コントローラ、９…暖房循環回路、９ｅ…追焚き通路、１０…温風暖房機、１１…床暖房パネル、１３…風呂循環回路、２０…暖房制御手段、２１…追焚き制御手段、２２…湯張り制御手段、２５…異常対処手段、１３１…風呂ポンプ、１３２…液々熱交換器、１３３…追焚き弁、１３５…湯張り注湯路、１４０…往き温度センサ、１４１…戻り温度センサ、１４２…風呂流水センサ
【図１】
0004994291.tif 000002
【図２】
0004994291.tif 000003
【図３】
0004994291.tif 000004